(57)【特許請求の範囲】
【請求項１】
無線機本体背面のバッテリ嵌着部より上側部分を覆うよう無線機本体に固定されたベース金具に固定される軸でバッテリ押え金具とベルトフックを回動自在に支持し、捩じりコイルばねにより前記バッテリ押え金具を無線機本体に嵌着されたバッテリと圧接するように付勢すると共に、前記捩じりコイルばねによりベルトフックをその先端部が前記無線機本体に嵌着されたバッテリ方向に回動するように付勢したことを特徴とする携帯用無線機のベルトフック構造。
【請求項２】
前記バッテリ押え金具とベルトフックを回動自在に支持する軸の回りに介装された捩じりコイルばねの両端から延びる延長線材の一方を前記ベース金具とバッテリ押え金具の前記軸より下方の部分と圧接させ、前記延長線材の他方を前記ベルトフックの前記軸より上方の部分と圧接させた請求項１の携帯用無線機のベルトフック構造。
【請求項３】
前記バッテリ押え金具をその先端部が無線機本体に近付くようにく字形に形成した請求項１または２の携帯用無線機のベルトフック構造。
【発明の詳細な説明】
【技術分野】
【０００１】
この発明は携帯用無線機に係わり、特に、そのベルトフック構造に関する。
【背景技術】
【０００２】
従来の携帯用無線機のベルトフック構造の例を図６〜図８により説明する。図６は従来の携帯用無線機のベルトフック構造の例を示す斜視図、図７は同ベルトフック構造の部分を示す分解斜視図、図８は同ベルトフック構造の作用を説明するための斜視図である。
【０００３】
図８に示す無線機本体１の背面に固定されたベース金具１０は図７に詳しく示すように、切り起こし部に穴１０ａ、１０ａが設けられ、この穴１０ａ、１０ａにベルトフック４の穴４ａ、４ａと捩じりコイルばね１１の中心を合わせ軸７を挿通して、軸７に止め輪８を嵌着する。
【０００４】
この状態で捩じりコイルばね１１の両延長線材はベルトフック４とベース金具１０とに圧接し、ベルトフック４の図７で示す下方先端部がベース金具１０に近付くようにベルトフック４が捩じりコイルばね１１で付勢される。ベース金具１０の図７で示す下方部は図６、８に示すように無線機本体１に嵌着されたバッテリ２を覆う。
【０００５】
なお、バッテリ２はその上部が無線機本体１に設けられた図示していない係止部に係止され、下部が無線機本体１に設けられた図示していないロック装置でロックされた状態で無線機本体１に嵌着される。
【０００６】
上記図６〜図８に示された従来の携帯用無線機のベルトフック構造によると、バッテリ２の上部を係止した状態で図６の矢印で示す方向に回動させて無線機本体１に嵌着される場合は、バッテリ２の背後を覆っているベース金具１０を無線機本体１から外さないとバッテリ２を取り外すことができない。すなわち、バッテリ２を無線機本体１に取付け、取外しする場合はベルトフック４を外さなければならなかった。そして、バッテリ２の取付け、取外しに手間がかかっていた。
【０００７】
ベルトフック４を無線機本体１から外すことなく、バッテリ２を無線機本体１に取付け、取外しが可能とするためには、図８に示すように、バッテリ２を矢印で示すように、スライドさせて無線機本体１に取付け、取外しする必要があった。この場合は、樹脂等で作られたバッテリ２が擦れて削れが発生していた。また、圧接された状態で摺接される電源端子の破損が発生していた。
【０００８】
特開２００３−３７５１９号公報に開示された無線機におけるベルトフック構造では、ベルトフック１８のベース１８ａが無線機本体１に嵌着されるバッテリ４を覆っておらず、バッテリ４は上部が無線機本体１に係止された状態で回動され、バッテリ４の下部が無線機本体１にロックされて無線機本体１に嵌着される。
【０００９】
上記特開２００３−３７５１９号公報に開示されたベルトフック構造では、ベルトフックを無線機本体に装着した状態でバッテリを無線機本体に対して回動させることにより取付け、取外しすることができる。しかしながら、バッテリがベース金具で覆われていないため、落下等による衝撃を受けると、バッテリが無線機本体から外れる恐れがあった。
【特許文献１】特開２００３−３７５１９号公報、段落００１７〜００２６、図１〜図４
【発明の開示】
【発明が解決しようとする課題】
【００１０】
この発明は上記した点に鑑みてなされたものであって、その目的とするところは、ベルトフックを無線機本体に装着した状態でバッテリを無線機本体に対して回動させることにより取付け、取外しすることができ、しかも、落下等による衝撃により、バッテリが無線機本体から外れる恐れがないの携帯用無線機のベルトフック構造を提供することにある。
【課題を解決するための手段】
【００１１】
この発明の携帯用無線機のベルトフック構造は、無線機本体背面のバッテリ嵌着部より上側部分を覆うよう無線機本体に固定されたベース金具に固定される軸でバッテリ押え金具とベルトフックを回動自在に支持し、捩じりコイルばねにより前記バッテリ押え金具を無線機本体に嵌着されたバッテリと圧接するように付勢すると共に、前記捩じりコイルばねによりベルトフックをその先端部が前記無線機本体に嵌着されたバッテリ方向に回動するように付勢したものである。
【００１２】
また、前記携帯用無線機のベルトフック構造において、前記バッテリ押え金具とベルトフックを回動自在に支持する軸の回りに介装された捩じりコイルばねの両端から延びる延長線材の一方を前記ベース金具とバッテリ押え金具の前記軸より下方の部分と圧接させ、前記延長線材の他方を前記ベルトフックの前記軸より上方の部分と圧接させたものである。
【００１３】
また、前記各携帯用無線機のベルトフック構造において、前記バッテリ押え金具をその先端部が無線機本体に近付くようにく字形に形成したものである。
【発明の効果】
【００１４】
この発明の携帯用無線機のベルトフック構造によれば、ベルトフックを無線機本体に装着した状態でバッテリを無線機本体に対して回動させることにより取付け、取外しすることができ、しかも、落下等による衝撃により、バッテリが無線機本体から外れる恐れのがない。
【発明を実施するための最良の形態】
【００１５】
以下この発明を実施するための最良の形態を実施例に即して説明する。
【実施例１】
【００１６】
図１はこの発明の実施例１である携帯用無線機のベルトフック構造を示す斜視図、図２は同ベルトフック構造の部分を示す分解斜視図、図３は同部分が一部組み立てられた状態を示す分解斜視図である。
【００１７】
図１に示す無線機本体１の背面に固定されたベース金具３は図２，３に詳しく示すように、切り起こし部に穴３ａ、３ａが設けられ、この穴３ａ、３ａに合成樹脂製のベルトフック４の穴４ａ、４ａ、バッテリ押え金具５の穴５ａ、５ａおよび捩じりコイルばね６の中心を合わせ軸７を挿通して、軸７に止め輪８を嵌着する。
【００１８】
この状態で捩じりコイルばね６の一方の延長線材６ａはベルトフック４の穴４ａ、４ａより上の部分と圧接し、さらに、Ｕ字形に曲げられた他方の延長線材６ｂはベース金具３およびバッテリ押え金具５と圧接する。
【００１９】
このように、捩じりコイルばね６はベルトフック４を図１で示す下方先端部がベース金具３に近付くように付勢し、さらに、バッテリ押え金具５を図１で示す下方部が無線機本体１に嵌着されたバッテリ２を押さえるように付勢する。
【００２０】
なお、バッテリ２はその上部が無線機本体１に設けられた図示していない係止部に係止され、下部が無線機本体１に設けられた図示していないロック装置でロックされた状態で無線機本体１に嵌着される。
【００２１】
その場合、バッテリ２をバッテリ押え金具５の下に差し込んで、図１の矢印Ａ方向に回動させることにより、バッテリ押え金具５を押し上げて矢印Ｂ方向回動させバッテリ２を無線機本体１に係止させ、さらに、矢印Ａ方向と反対の方向に回動させてバッテリ２の下部を無線機本体１に設けられたロック機構にロックさせる。バッテリ２を外す場合は上記と逆の動作が行われる。
【００２２】
このように、実施例１の携帯用無線機のベルトフック構造は、ベルトフックを無線機本体に装着した状態でバッテリを無線機本体に対して回動させることにより取付け、取外しすることができ、しかも、落下等による衝撃により、バッテリが無線機本体から外れる恐れがない。そして、１つの捩じりコイルばねでベルトフックとバッテリ押え金具とを付勢する構成となっているので部品点数および組み立て工数が削減される。
【実施例２】
【００２３】
図４はこの発明の実施例２である携帯用無線機のベルトフック構造を示す側面図、図５は同携帯用無線機のベルトフック構造の他の状態を示す側面図である。実施例２の携帯用無線機のベルトフック構造は実施例１の携帯用無線機のベルトフック構造におけるバッテリ押え金具５をく字形のバッテリ押え金具５Ａで置き換えられいる。他の構成は実施例１のものと同様であり、詳細な説明を省略する。
【００２４】
図４に薄型のバッテリ２を無線機本体１に嵌着してた状態が示されており、図５に厚型のバッテリ２Ａを無線機本体１に嵌着した状態が示されている。このように、実施例２の携帯用無線機のベルトフック構造は実施例１と同様の効果を奏し、さらに、バッテリの形状の変化に対応できるという実施例２特有の効果を奏する。
【図面の簡単な説明】
【００２５】
【図１】この発明の実施例１である携帯用無線機のベルトフック構造を示す斜視図である。
【図２】同ベルトフック構造の部分を示す分解斜視図である。
【図３】同部分が一部組み立てられた状態を示す分解斜視図である。
【図４】この発明の実施例２である携帯用無線機のベルトフック構造を示す側面図である。
【図５】同携帯用無線機のベルトフック構造の他の状態を示す側面図である。
【図６】従来の携帯用無線機のベルトフック構造の例を示す斜視図である。
【図７】同ベルトフック構造の部分を示す分解斜視図である。
【図８】同ベルトフック構造の作用を説明するための斜視図である。
【符号の説明】
【００２６】
１  無線機本体
２  バッテリ
２Ａ  バッテリ
３  ベース金具、３ａ  穴
４  ベルトフック、４ａ  穴
５  バッテリ押え金具、５ａ  穴
５Ａ  バッテリ押え金具
６  捩じりコイルばね、６ａ  一方の延長線材、６ｂ  他方の延長線材
７  軸
８  止め輪
９  ベルトフック
１０  ベース金具、１０ａ  穴
１１  捩じりコイルばね
【図１】
0004983590.tif 000002
【図２】
0004983590.tif 000003
【図３】
0004983590.tif 000004
【図４】
0004983590.tif 000005
【図５】
0004983590.tif 000006
【図６】
0004983590.tif 000007
【図７】
0004983590.tif 000008
【図８】
0004983590.tif 000009